(57)【要約】【課題】レストランで決済を行った結果として受けるべき特典を、当該決済を行ったグループに属する各人のみが効率的に受けることを可能にする特典付与システムを実現する。【解決手段】サーバ（１００）のチケット生成部（１２３）は、チケットを要求したグループの代表者の携帯端末（３００Ａ）に対してチケットを送信する。レジ端末（２００）がチケットを非接触型通信により携帯端末（３００Ａ）から受信すると、サーバ（１００）は上記グループが上記レストランを利用した時を示す時刻情報を更新し、レジ端末（２００）の情報送信処理部（２２３）は、更新後の時刻情報を超音波通信により送信する。【選択図】図３
2015148891.tif 000002
【特許請求の範囲】
【請求項１】
ユーザ毎に該ユーザのユーザＩＤと該ユーザが店舗を利用した時を示す時刻情報と該ユーザに付与された特典の量とを管理するサーバと、レジ端末と、を含み、
上記サーバは、
携帯端末からユーザＩＤを受信した場合に、グループで上記店舗に訪れた顧客が特典の付与を受けるために必要な情報であって該グループで共有すべき情報である共有情報を生成し、生成した共有情報を上記携帯端末に送信する第１送信手段と、
上記レジ端末から上記共有情報を受信した場合に、該ユーザＩＤが割り当てられたユーザが上記店舗を利用した時を示す時刻情報を更新する更新手段と、を備え、
上記レジ端末は、
上記共有情報を近距離無線通信により上記携帯端末から受信した場合に、該共有情報を上記サーバに送信する第２送信手段と、
上記更新手段が更新した後の上記時刻情報を近距離無線通信によって送信する第３送信手段と、を備えている、ことを特徴とする特典付与システム。
【請求項２】
上記サーバは、時刻情報、ユーザＩＤ、及び、上記レジ端末から受信済の上記共有情報を携帯端末から受信した場合に、該時刻情報が示す時刻が、該共有情報の受信を契機に上記更新手段が更新した時刻情報が示す時刻からの一定期間に含まれているか否かを判定する判定手段と、
上記判定手段により、上記サーバにより受信された時刻情報が示す時刻が、上記共有情報の受信を契機に上記更新手段が更新した時刻情報が示す時刻からの一定期間に含まれていると判定された場合に、該ユーザＩＤが割り当てられたユーザに特典を付与する特典付与手段と、を更に備えている、ことを特徴とする請求項１に記載の特典付与システム。
【請求項３】
上記サーバは、上記特典付与システムを利用する複数の店舗の各々について該店舗でユーザが使用可能な特典の量をユーザ毎に管理するようになっており、
上記第３送信手段は、上記時刻情報と、該第３送信手段を備えるレジ端末が設置されている店舗に固有の店舗情報とを近距離無線通信によって送信するようになっており、
上記サーバは、時刻情報、ユーザＩＤ、レジ端末から受信済の上記共有情報、及び、該レジ端末が設置されている店舗に固有の店舗情報を携帯端末から受信した場合に、該時刻情報が示す時刻が、該共有情報の受信を契機に上記更新手段が更新した時刻情報が示す時刻からの一定期間に含まれているか否かを判定する判定手段と、
上記判定手段により、上記サーバにより受信された時刻情報が示す時刻が、上記共有情報の受信を契機に上記更新手段が更新した時刻情報が示す時刻からの一定期間に含まれていると判定された場合に、該ユーザＩＤが割り当てられたユーザに該店舗で使用可能な特典を付与する特典付与手段と、を更に備えている、ことを特徴とする請求項１に記載の特典付与システム。
【請求項４】
上記特典付与手段は、上記サーバがレジ端末から受信済の上記共有情報を共有すべきグループによる該レジ端末での決済金額が大きいほど、より多い量の特典を当該グループに属するユーザに付与するようになっている、ことを特徴とする請求項２または３に記載の特典付与システム。
【請求項５】
サーバと、レジ端末と、を含む特典付与システムによる特典付与方法であって、
上記サーバは、ユーザ毎に該ユーザのユーザＩＤとユーザが店舗を利用した時を示す時刻情報と該ユーザに付与された特典の量とを管理するようになっており、
上記サーバが、携帯端末からユーザＩＤを受信した場合に、グループで上記店舗に訪れた顧客が特典の付与を受けるために必要な情報であって該グループで共有すべき情報である共有情報を生成し、生成した共有情報を上記携帯端末に送信する第１送信工程と、
上記レジ端末が、上記共有情報を近距離無線通信により上記携帯端末から受信した場合に、該共有情報を上記サーバに送信する第２送信工程と、
上記サーバが、上記レジ端末から上記共有情報を受信した場合に、該ユーザＩＤが割り当てられたユーザが上記店舗を利用した時を示す時刻情報を更新する更新工程と、
上記レジ端末が、上記更新工程にて更新された後の上記時刻情報を近距離無線通信によって送信する第３送信工程と、を含んでいる、ことを特徴とする特典付与方法。
【請求項６】
所有者のユーザＩＤが保存されている携帯端末であって、
上記所有者と一緒に店舗に訪れた者が所有する他の携帯端末であってサーバから共有情報を取得した他の携帯端末が近距離無線通信によりレジ端末に該共有情報を送信した場合に上記サーバが更新する時刻情報であって、該他の携帯端末のユーザが該店舗を利用した時を示す時刻情報を、上記レジ端末から近距離無線通信により受信する受信手段と、
上記所有者に特典が付与されるように、上記所有者が上記他の携帯端末を所有する者から知らされた上記共有情報、上記受信手段が受信した上記時刻情報、及び、上記ユーザＩＤを、ユーザ毎に該ユーザのユーザＩＤと該ユーザが店舗を利用した時を示す時刻情報と該ユーザに付与された特典の量とを管理するサーバに送信する送信手段と、を備え、
上記共有情報及び上記時刻情報は、グループで店舗に訪れた顧客が特典の付与を受けるために必要な情報であり、上記共有情報は、上記グループで共有すべき情報である、ことを特徴とする携帯端末。
【請求項７】
請求項６に記載の携帯端末が備える上記送信手段及び上記受信手段としてコンピュータを機能させるためのプログラム。
【請求項８】
携帯端末から近距離無線通信により共有情報を受信する受信手段と、
上記受信手段が上記共有情報を受信した場合に、上記共有情報をサーバに送信する共有情報送信手段と、
上記携帯端末のユーザが店舗を利用した時を示す時刻情報であって上記共有情報を受信したサーバにより更新された時刻情報を、近距離無線通信により送信する時刻情報送信手段と、を備え、
上記共有情報及び上記時刻情報は、グループで店舗に訪れた顧客が特典の付与を受けるために必要な情報であり、上記共有情報は、上記グループで共有すべき情報である、ことを特徴とするレジ端末。
【請求項９】
ユーザ毎に該ユーザのユーザＩＤと該ユーザに付与された特典の量とを管理するサーバと、レジ端末と、を含む特典付与システムであって、
上記サーバは、
携帯端末からユーザＩＤを受信した場合に、グループで店舗に訪れた顧客が特典の付与を受けるために必要な情報であって該グループで共有すべき情報である共有情報を生成し、生成した共有情報を上記携帯端末に送信する第１送信手段と、
上記レジ端末から上記ユーザＩＤを受信した場合に、上記グループが上記特典の付与を受けるために携帯端末がアクセスすべきアドレスを示すアドレス情報を上記レジ端末に送信する第３送信手段と、
上記共有情報を参照した携帯端末であって上記アドレスにアクセスした携帯端末から、該携帯端末のユーザに割り当てられたユーザＩＤと上記共有情報を参照した旨を示す情報とを受信した場合に、該ユーザに特典を付与する特典付与手段と、を備え、
上記レジ端末は、
上記ユーザＩＤを近距離無線通信により上記携帯端末から受信した場合に、該ユーザＩＤを上記サーバに送信する第２送信手段と、
上記アドレス情報を上記サーバから受信した場合に、上記アドレス情報を近距離無線通信によって送信する第４送信手段とを備えている、ことを特徴とする特典付与システム。
【請求項１０】
上記サーバは、上記特典付与システムを利用する複数の店舗の各々について該店舗でユーザが使用可能な特典の量をユーザ毎に管理するようになっており、
上記第４送信手段は、上記アドレス情報と、該第４送信手段を備えるレジ端末が設置されている店舗に固有の店舗情報とを近距離無線通信によって送信するようになっており、
上記特典付与手段は、上記アドレス情報が表すアドレスにアクセスした携帯端末から、該携帯端末のユーザに割り当てられたユーザＩＤと該店舗に固有の店舗情報と上記共有情報を参照した旨を示す情報とを受信した場合に、該店舗で使用可能な特典を該ユーザに付与するようになっている、ことを特徴とする請求項９に記載の特典付与システム。
【発明の詳細な説明】
【技術分野】
【０００１】
本発明は、主に、店舗に訪れた顧客に特典を付与する特典付与システムに関する。
【背景技術】
【０００２】
顧客に商品またはサービスを提供する店舗において、顧客の再来店の動機づけを高めるために、特典付与システムが広く利用されている。特典付与システムは、来店した顧客に対して、特典（ポイント、クーポン情報、スタンプ情報等）を付与するシステムである。このようなシステムの一例として、特許文献１、２に開示されているシステムが挙げられる。
【０００３】
特許文献１には、店舗に設置されている読取装置と、ユーザの属性情報が付随してアクセスがあった場合に、そのユーザに固有の認証情報を二次元バーコードとしてそのユーザが所有する携帯端末に送信する管理サーバと、を含むシステムが開示されている。特許文献１のシステムでは、店舗での決済時において、読取装置が、ユーザが所有する携帯端末に表示された上記二次元バーコードを読み取った場合、そのユーザに対してサービス還元として付与されるスタンプ情報をその携帯端末に送信するようになっている。
【０００４】
また、特許文献２には、キャンペーンサーバと、店舗に設置されている来店証明書込装置と、を含むシステムが開示されている。特許文献２のシステムでは、来店者が来店証明書込装置に携帯端末をかざした場合に、来店証明書込装置が、来店証明書、及び、１回の来店に応じた応募可能回数のデータをその携帯端末に記録するようになっている。また、同システムでは、キャンペーン対象の商品に付与されているニ次元バーコードから取得されたシリアルナンバーと来店証明書とが携帯端末に記録されている場合、キャンペーンサーバは、その携帯端末を用いたキャンペーンの応募を、その携帯端末に記録されている上記データが示す応募可能回数だけ受け付けるようになっている。
【先行技術文献】
【特許文献】
【０００５】
【特許文献１】特開２００５−０７８３２３号公報（２００５年３月２４日公開）
【特許文献２】特開２００８−０８３９２０号公報（２００８年４月１０日公開）
【発明の概要】
【発明が解決しようとする課題】
【０００６】
特許文献１および特許文献２のシステムを含む従来の特典付与システムには、グループ単位で決済が行われる店舗（例えば、レストラン）であって決済時に顧客に特典を付与する店舗で利用する場合に、好ましくない問題が発生する虞がある。
【０００７】
すなわち、従来の特典付与システムを上記のような店舗で利用する場合、決済を行っているグループに属し、特典の付与を所望する各メンバは、自身の携帯端末を装置にかざさなければならない。そして、その結果として、決済が終了するまでに長い時間がかかり、レジ待ちの他の顧客を苛立たせてしまうという問題が生じ得る。
【０００８】
本発明は、上記課題に鑑みて成されたものであり、その主な目的は、グループ単位で決済が行われる店舗において決済を行った結果として受けるべき特典を、当該決済を行ったグループに属する各メンバのみが効率的に受けることを可能にする特典付与システムを実現することにある。
【課題を解決するための手段】
【０００９】
上記課題を解決するために、本発明の一態様に係る特典付与システムは、ユーザ毎に該ユーザのユーザＩＤと該ユーザが店舗を利用した時を示す時刻情報と該ユーザに付与された特典の量とを管理するサーバと、レジ端末と、を含み、上記サーバは、携帯端末からユーザＩＤを受信した場合に、グループで上記店舗に訪れた顧客が特典の付与を受けるために必要な情報であって該グループで共有すべき情報である共有情報を生成し、生成した共有情報を上記携帯端末に送信する第１送信手段と、上記レジ端末から上記共有情報を受信した場合に、該ユーザＩＤが割り当てられたユーザが上記店舗を利用した時を示す時刻情報を更新する更新手段と、を備え、上記レジ端末は、上記共有情報を近距離無線通信により上記携帯端末から受信した場合に、該共有情報を上記サーバに送信する第２送信手段と、上記更新手段が更新した後の上記時刻情報を近距離無線通信によって送信する第３送信手段と、を備えている。
【発明の効果】
【００１０】
本発明の一態様に係る特典付与システムは、グループ単位で決済が行われる店舗において決済を行った結果として受けるべき特典を、当該決済を行ったグループに属する各メンバのみが効率的に受けることを可能にする、という効果を奏する。
【図面の簡単な説明】
【００１１】
【図１】本発明の実施形態１に係る特典付与システムのシステム構成図である。
【図２】本発明の各実施形態に係る特典付与システムの各装置のハードウェア構成を示すブロック図である。
【図３】本発明の実施形態１に係る特典付与システムの各装置の要部構成を示すブロック図である。
【図４】本発明の実施形態１に係る特典付与システムに含まれるサーバ内の各種データベーステーブル一部のレコードを抽出して例示した図である。
【図５】本発明の実施形態１に係る特典付与システムによる顧客に特典が付与されるまでの動作を示すシーケンス図である。
【図６】本発明の実施形態１に係る特典付与システムによる上記動作を説明するための補足図である。
【図７】本発明の実施形態２〜実施形態４に係る特典付与システムのシステム構成図である。
【図８】本発明の実施形態２〜実施形態４に係る特典付与システムの各装置の要部構成を示すブロック図である。
【図９】本発明の実施形態２〜実施形態４に係る特典付与システムに含まれるサーバ内のデータベーステーブルを例示した図である。
【図１０】本発明の実施形態２〜実施形態４に係る特典付与システムによる顧客に特典が付与されるまでの動作の一部を示すシーケンス図である。
【図１１】本発明の実施形態２〜実施形態４に関する図であり、図１０のシーケンス図により示される動作の続きの動作を示すシーケンス図である。
【図１２】本発明の実施形態２に関する図であり、図１１のシーケンス図により示される動作の続きの動作を示すシーケンス図である。
【図１３】本発明の実施形態２に係る特典付与システムによる上記動作を説明するための補足図である。
【図１４】本発明の実施形態３に関する図であり、図１１のシーケンス図により示される動作の続きの動作を示すシーケンス図である。
【図１５】本発明の実施形態４に関する図であり、携帯端末に表示される画面を概略的に例示した図である。
【図１６】本発明の実施形態５に係る特典付与システムのシステム構成図である。
【図１７】本発明の実施形態５に係る特典付与システムによる顧客に特典が付与されるまでの動作を説明するための図である。
【発明を実施するための形態】
【００１２】
＜実施形態１＞
以下、図１〜図６を参照して、本発明の一実施形態に係る特典付与システムについて説明する。なお、本実施形態に係る特典付与システムは、特典としてスタンプを付与するようになっているが、本発明に係る特典付与システムはそのような構成に限られない。すなわち、本発明に係る特典付与システムは、ポイントやマイル、クーポン等の特典を付与するようなシステムであってもよい。
【００１３】
（特典付与システムの概要）
本実施形態に係る特典付与システムの概要について図１を参照しながら説明する。図１は、本実施形態に係る特典付与システムのシステム構成図である。
【００１４】
図１に示すように、本実施形態に係る特典付与システムは、クラウド上に設置されているサーバ１００、店舗に設置されているレジ端末２００、および、携帯端末３００を含んでいる。携帯端末３００は、フィーチャーフォンであってもよいし、スマートフォンであってもよいし、タブレット端末であってもよい。また、レジ端末２００が設置される店舗は、グループ単位で決済が行われる店舗であり、本実施形態ではレストランである。なお、レジ端末２００が設置される店舗は、例えば、カラオケボックス店、ボーリング場等であってもよい。
【００１５】
本実施形態に係る特典付与システムでは、グループの代表者は、グループで店舗に来店する前に、特典の付与を受けるために必要な２つのデータのうちの１つであるチケットをサーバ１００から取得し、取得したデータを当該グループの各同行者の携帯端末に配布することになっている。すなわち、チケットは、グループで上記店舗に訪れた顧客が特典の付与を受けるために必要な情報であって該グループで共有すべき情報である共有情報であると言える。
【００１６】
また、レジ端末２００には、非接触型ＩＣカードリーダ／ライタ２４０、及び、超音波発信装置２５０が接続されている。本実施形態に係る特典付与システムは、代表者が決済時にレジ端末２００の傍にある非接触型ＩＣカードリーダ／ライタ２４０に自身の携帯端末をかざすと、代表者に特典を付与する。そして、特典付与システムは、特典の付与を受けるために必要な２つのデータのうちのもう１つである時刻情報を超音波発信装置２５０が発する超音波にのせて送信するようになっている。
【００１７】
その結果、代表者の近くに居る同行者の携帯端末３００（３００Ｂ）のみに、特典の付与を受けるために必要な２つのデータが揃うようになっている。そのため、決済を行った結果として受けるべき特典を、当該決済を行ったグループに属する各メンバのみが受けることができる。また、同行者は非接触型ＩＣカードリーダ／ライタ２４０に携帯端末をかざさなくとも特典を受けることができるため、決済を行ったグループに属する各メンバは、効率良く特典を受けることができる。
【００１８】
（特典付与システムの構成）
まず、本実施形態に係る特典付与システムのハードウェア構成について図２を参照しながら説明する。図２は、本実施形態に係る特典付与システムの各装置のハードウェア構成を示すブロック図である。
【００１９】
（サーバ１００のハードウェア構成）
図２に示すように、サーバ１００は、記憶部１１０、制御部１２０、及び、通信Ｉ／Ｆ部１３０を備えている。
【００２０】
記憶部１１０は、データが保存される記録媒体である。記憶部１１０として利用可能なデバイスとしては、例えば、ハードディスクドライブ（ＨＤＤ）、ソリッドステートドライブ（ＳＤＤ）等を挙げることができる。
【００２１】
制御部１２０は、サーバ１００全体を統括的に制御するＣＰＵである。
【００２２】
通信Ｉ／Ｆ部１３０は、ネットワークを介して、レジ端末２００及び携帯端末３００と通信可能に接続するためのインターフェースである。
【００２３】
（レジ端末２００のハードウェア構成）
図２に示すように、レジ端末２００は、記憶部２１０、制御部２２０、通信Ｉ／Ｆ部２３０、及び、操作部２６０を備えており、近傍にある非接触型ＩＣリーダ／ライタ２４０、超音波発信装置２５０、及び、バーコードリーダ２７０と接続されている。
【００２４】
記憶部２１０は、データが保存される記録媒体である。記憶部２１０として利用可能なデバイスとしては、例えば、ハードディスクドライブ（ＨＤＤ）、ソリッドステートドライブ（ＳＤＤ）等を挙げることができる。
【００２５】
制御部２２０は、レジ端末２００全体を統括的に制御するＣＰＵである。
【００２６】
通信Ｉ／Ｆ部２３０は、ネットワークを介して、サーバ１００と通信可能に接続するためのインターフェースである。
【００２７】
非接触型ＩＣリーダ／ライタ２４０は、携帯端末３００が約５ｃｍ以内の範囲に入ると、携帯端末３００の非接触型ＩＣ部３４０から非接触型通信（近距離無線通信）により情報を読み取る。
【００２８】
超音波発信装置２５０は、超音波通信（近距離無線通信）に使用される超音波を発信する装置である。
【００２９】
操作部２６０は、顧客から受け取った金額を入力するためのキー群である。
【００３０】
バーコードリーダ２７０は、注文伝票にプリントされたバーコードを読み取り、バーコードに埋め込まれた請求額を特定する。
【００３１】
（携帯端末３００のハードウェア構成）
図２に示すように、携帯端末３００は、記憶部３１０、制御部３２０、通信Ｉ／Ｆ部３３０、非接触型ＩＣ部３４０、及び、超音波受信部３５０を備えている。
【００３２】
記憶部３１０は、データが保存される記録媒体である。記憶部１１０として利用可能なデバイスとしては、例えば、フラッシュメモリを挙げることができる。
【００３３】
制御部３２０は、携帯端末３００全体を統括的に制御するＣＰＵである。
【００３４】
通信Ｉ／Ｆ部３３０は、ネットワークを介して、サーバ１００と通信可能に接続するためのインターフェースである。通信Ｉ／Ｆ部３３０は、３Ｇ通信、ＬＴＥ通信、又は、ＷｉＭＡＸ通信に対応したインターフェースであってもよいし、ＷｉＦｉ通信に対応したインタフェースであってもよいし、その他のインタフェースであってもよい。
【００３５】
非接触型ＩＣ部３４０は、非接触型ＩＣ部３４０から約５ｃｍの範囲内に非接触型ＩＣリーダ／ライタ２４０が存在する場合に、非接触型ＩＣリーダ／ライタ２４０との間で非接触型通信を行う。非接触型ＩＣ部３４０には、非接触型通信時に非接触型ＩＣリーダ／ライタ２４０に送信される情報を保存可能なメモリが設けられている。
【００３６】
超音波受信部３５０は、超音波通信に使用される超音波を受信する。超音波受信部３５０として利用可能なデバイスとしては、マイクが挙げられる。
【００３７】
以上、本実施形態に係る特典付与システムの各装置のハードウェア構成について説明した。なお、後述する実施形態２〜５に係る特典付与システムのハードウェア構成も、本実施形態に係る特典付与システムのハードウェア構成と同様のものである。
【００３８】
次に、本実施形態に係る特典付与システムを構成する各装置の要部構成について図３及び図４を参照しながら具体的に説明する。図３は、本実施形態に係る特典付与システムの各装置の要部構成を示すブロック図である。また、図４は、サーバ１００に保存されている各種データベーステーブルの一部のレコードを抽出して例示した図である。図４の（ａ）は、ユーザ情報テーブルの一部のレコードを抽出して例示した図であり、図４の（ｂ）及び（ｃ）は、店舗利用情報テーブルの一部のレコードを抽出して例示した図である。
【００３９】
（サーバ１００）
図３に示すように、サーバ１００は、記憶部１１０、制御部１２０、通信Ｉ／Ｆ部１３０を備えている。
【００４０】
（記憶部１１０）
記憶部１１０は、データが保存される記録媒体である。記憶部１１０には、各種プログラムが保存されている。また、記憶部１１０には、ユーザ情報テーブルや店舗利用情報テーブル等の各種データベーステーブルが保存されている。ユーザ情報テーブルおよび店舗利用情報テーブルは、特典付与システムのユーザ毎に、該ユーザのユーザＩＤと該ユーザが店舗を利用した時を示す時刻情報と該ユーザに付与された特典の量とを管理するために使用される。
【００４１】
例えば、図４の（ａ）における各レコードの「累計スタンプ数」フィールドの値は当該レコードの「ユーザＩＤ」フィールドが示すユーザに付与された特典の量を示している。また、図４の（ｃ）におけるレコードの「決済日時」フィールドの値は、当該レコードの「ユーザＩＤ」フィールドの値が示すユーザが当該レコードの「店舗ＩＤ」フィールドの値が示す店舗を利用した時を示している。本実施形態では、ユーザが決済を行った日時を当該ユーザが店舗を利用した時として取り扱うが、本発明はこれに限定されない。例えば、特典付与システムは、ユーザが来店した日時を特定し、特定した日時を該ユーザが店舗を利用した時として取り扱ってもよい。
【００４２】
（制御部１２０）
図３に示すように、ＣＰＵにあたる制御部１２０は、対応するプログラムを実行することにより、照合部１２１（判定手段）、スタンプ付与処理部１２２（特典付与手段）、及び、チケット生成部１２３（第１送信手段）として機能する。
【００４３】
チケット生成部１２３は、代表者の携帯端末３００Ａからチケットの要求を受けた場合に、チケットを生成し、生成したチケットを携帯端末３００Ａに送信する。本実施形態で生成するチケットの実体はランダム番号であるが、チケット生成部１２３は、チケットを生成すると、代表者のユーザＩＤ、ランダム番号、代表者が訪れた店舗の店舗ＩＤ（当該店舗に固有の店舗情報）とを含む新規レコードを店舗利用情報テーブルに生成する。なお、チケットの実体はランダム番号でなくともよい。
【００４４】
また、チケット生成部１２３は、レジ端末２００からチケットと決済日時を示す時刻情報とのペアを受信した場合に、受信したチケットの値と同じ値が「チケット」フィールドに保存されているレコードを特定する。
【００４５】
そして、チケット生成部１２３は、特定したレコードの「決済日時」フィールドの値が受信した時刻情報が示す値と同じ値になるように、特定したレコードの「決済日時」フィールドの値を更新する。例えば、特定したレコードが図４の（ｂ）に示されているレコードであり、且つ、受信した時刻情報が示す値が“2014年1月11日 19:00”である場合、特定したレコードを図４の（ｃ）に示すようなレコードに更新する。さらに、チケット生成部１２３は、レジ端末２００から受信したチケットを、レジ端末２００に送信する。
【００４６】
照合部１２１は、携帯端末から受信したデータの中に、前述の特典の付与を受けるために必要な２つのデータが含まれているか否かを判定する。具体的には、以下の処理１及び処理２を行う。
【００４７】
処理１：携帯端末から受信したデータの中に、サーバ１００が代表者の携帯端末３００Ａに送信したチケットが含まれているか否かを判定する。
【００４８】
処理２：携帯端末から受信したデータの中に上記チケットが含まれている場合に、携帯端末から受信したデータに含まれている時刻情報が示す時刻が、サーバ１００によって管理されている時刻情報（具体的には、レジ端末２００が設置されている店舗を上記代表者が利用した時を示す時刻情報）が示す時刻からの一定期間に含まれているか否かを判定する。
【００４９】
スタンプ付与処理部１２２は、照合部１２１によって「携帯端末から受信したデータの中に、前述の特典の付与を受けるために必要な２つのデータが含まれている」と判定された場合に、携帯端末から受信したデータに含まれているユーザＩＤが割り当てられたユーザに特典を付与する。例えば、スタンプ付与処理部１２２は、携帯端末から受信したデータに含まれているユーザＩＤが“０００２”である場合に、ユーザ情報テーブルにおけるサトウさんの累計スタンプ数を“３”から“４”に更新する。
【００５０】
（通信Ｉ／Ｆ部１３０）
通信Ｉ／Ｆ部１３０は、インターネット及び／又はイントラネットを介してレジ端末２００及び携帯端末３００との間で通信を行うために使用される通信インタフェースである。
【００５１】
（レジ端末２００）
図３に示すように、レジ端末２００は、記憶部２１０、制御部２２０、通信Ｉ／Ｆ部２３０を備えており、近傍にある非接触型ＩＣリーダ／ライタ２４０及び超音波発信装置２５０と接続されている。
【００５２】
（記憶部２１０）
記憶部２１０は、各種プログラム及び各種データが保存される記録媒体である。
【００５３】
（制御部２２０）
図３に示すように、ＣＰＵにあたる制御部２２０は、対応するプログラムを実行することにより、決済処理部２２１、時刻情報生成部２２２（受信手段、第２送信手段、共有情報送信手段）、及び、情報送信処理部２２３（第３送信手段、時刻情報送信手段）として機能する。
【００５４】
決済処理部２２１は、伝票のバーコードをレジ端末２００のバーコードリーダ２７０が読み取ったことをトリガとして決済処理を開始する。
【００５５】
時刻情報生成部２２２（受信手段）は、決済処理の開始をトリガとして、非接触型ＩＣリーダ／ライタ２４０の読み取り動作が有効になるように非接触型ＩＣリーダ／ライタ２４０を制御する。そして、時刻情報生成部２２２（受信手段、第２送信手段、共有情報送信手段）は、非接触型ＩＣリーダ／ライタ２４０に代表者の携帯端末３００Ａがかざされると時刻情報を生成し、非接触型通信により携帯端末３００Ａから受信したチケットと一緒に、生成した時刻情報をサーバ１００に送信する。
【００５６】
情報送信処理部２２３は、レジ端末２００がユーザＩＤを受信すると、時刻情報生成部２２２が生成した時刻情報を記憶部２１０から読み出すとともに時刻情報を記憶部２１０から消去する。そして、情報送信処理部２２３（第３送信手段、時刻情報送信手段）は、読み出した時刻情報を超音波発信装置２５０が発信している超音波に乗せることにより、レジ端末２００の周辺に時刻情報を送信する。
【００５７】
（通信Ｉ／Ｆ部２３０）
通信Ｉ／Ｆ部２３０は、インターネット及び／又はイントラネットを介してサーバ１００との間で通信を行うために使用される通信インタフェースである。
【００５８】
（非接触型ＩＣリーダ／ライタ２４０）
非接触型ＩＣリーダ／ライタ２４０は、携帯端末３００が約５ｃｍ以内の範囲に入ると、非接触型ＩＣ部３４０から接触型通信（近距離無線通信）により情報を読み取る。
【００５９】
（超音波発信装置２５０）
超音波発信装置２５０は、超音波通信（近距離無線通信）に使用される超音波を発信する装置である。
【００６０】
（携帯端末３００）
図３に示すように、携帯端末３００は、記憶部３１０、制御部３２０（受信手段）、通信Ｉ／Ｆ部３３０、非接触型ＩＣ部３４０、及び、超音波受信部３５０を備えている。
【００６１】
（記憶部３１０）
記憶部３１０は、各種プログラム及び各種データが保存される記録媒体である。
【００６２】
（制御部３２０）
図３に示すように、ＣＰＵにあたる制御部３２０は、特典付与システムの利用に必要な所定のアプリケーション（以下、「対象アプリ」と称する）を実行することにより、チケット要求部３２１、及び、スタンプ付与要求処理部３２２として機能する。また、対象アプリが実行されると、制御部３２０（受信手段）は、超音波通信により送信されるデータを受信できるように超音波受信部３５０を制御する。
【００６３】
チケット要求部３２１は、記憶部３１０に保存されている携帯端末３００のユーザＩＤとチケット要求とのペアをサーバ１００に送信することにより、チケットをサーバ１００から取得し、取得したチケットを非接触型ＩＣ部３４０に保存する。
【００６４】
スタンプ付与要求処理部３２２（送信手段）は、超音波通信により送信された時刻情報を超音波受信部３５０が受信した場合に、通信Ｉ／Ｆ部３３０を介して、サーバ１００に、スタンプ付与要求を送信する。具体的には、記憶部３１０に保存されている携帯端末３００のユーザのユーザＩＤと、超音波受信部３５０が受信した時刻情報と、記憶部３１０に保存されているチケットとを含むスタンプ付与要求をサーバ１００に送信する。
【００６５】
（通信Ｉ／Ｆ部３３０）
通信Ｉ／Ｆ部３３０は、インターネットを介してサーバ１００との間で通信を行うために使用される通信インタフェースである。
【００６６】
（非接触型ＩＣ部３４０）
非接触型ＩＣ部３４０は、非接触型ＩＣ部３４０から約５ｃｍの範囲内に非接触型ＩＣリーダ／ライタ２４０が存在する場合に、非接触型ＩＣリーダ／ライタ２４０との間で非接触型通信を行い、保存されている情報を送信する。
【００６７】
（超音波受信部３５０）
超音波受信部３５０は、超音波通信に使用される超音波を受信する。
【００６８】
以上、本実施形態に係る特典付与システムの構成について説明した。
【００６９】
（特典付与システムの動作）
次に、グループで来店する顧客の代表者が携帯端末３００Ａの対象アプリを用いてチケットを要求するための操作を行ってから顧客に特典が付与されるまでの特典付与システムの動作について図５及び図６を参照しながら説明する。図５は当該動作を示すシーケンス図である。また、図６は、当該動作を説明するための補足図である。
【００７０】
図５及び図６に示すように、最初に、携帯端末３００Ａのチケット要求部３２１は、記憶部３１０に保存されている代表者のユーザＩＤと、チケットの要求と、をサーバ１００に送信する（Ｓ１）。
【００７１】
ユーザＩＤとチケットの要求とを受信したサーバ１００のチケット生成部１２３は、ユーザＩＤを用いてチケットを生成し（Ｓ２）。生成したチケットを携帯端末３００Ａに送信する（Ｓ３）。携帯端末３００Ａは、サーバ１００から受信したチケットを、記憶部３１０に保存する。
【００７２】
その後、携帯端末３００Ａを所有する代表者が対象アプリを用いてチケットを各同行者の携帯端末３００Ｂに配布する（Ｓ４）。なお、チケットの配布は、携帯端末３００Ａと携帯端末３００Ｂとの間の無線通信（赤外線通信やBluetooth（登録商標）通信等）により行われてもよいし、メールにより行われてもよい。
【００７３】
Ｓ４の後、携帯端末３００Ａを所有する者が代表者であり、携帯端末３００Ｂを所有する者が同行者であるようなグループがレストランに訪れたものとする。そして、グループが食事を終えて、レジ端末２００が設置されている会計場所に移動したものとする。また、会計場所に移動したグループの各人は、対象アプリを起動させたものとする。
【００７４】
代表者が伝票をレジ担当者に渡し、レジ端末２００のバーコードリーダ２７０が伝票のバーコードを読み込むと、レジ端末２００の決済処理部２２１が決済処理を開始する（Ｓ５）。
【００７５】
Ｓ５の後、代表者が携帯端末３００Ａを非接触型ＩＣリーダ／ライタ２４０にかざすと、携帯端末３００Ａの非接触型ＩＣ部３４０はチケットをレジ端末２００に送信する（Ｓ６）。
【００７６】
チケットを受信したレジ端末２００の時刻情報生成部２２２は、チケットを受信した時点の現在時刻（すなわち、決済日時）を示す時刻情報を生成し、生成した時刻情報と受信したチケットと関連付けて記憶部２１０に保存する。そして、時刻情報生成部２２２は、生成した時刻情報と受信したチケットのペアをサーバ１００に送信する（Ｓ８）。
【００７７】
時刻情報とチケットとのペアを受信したサーバ１００の照合部１２１は、レジ端末２００から受信したチケットがサーバ１００によって発行されたチケットであるか否かを判定する。具体的には、照合部１２１は、店舗利用情報テーブルの中に、「チケット」フィールドの値がレジ端末２００から受信したチケットの値と同じであるようなレコードが存在するか否かを判定する。そして、レジ端末２００から受信したチケットがサーバ１００によって発行されたチケットであると照合部１２１が判定した場合、スタンプ付与処理部１２２は、当該レコードの「ユーザＩＤ」フィールドの値が示すユーザ（すなわち、代表者）にスタンプを付与する（Ｓ９）。また、Ｓ９において、チケット生成部１２３は、当該レコードの「決済日時」フィールドの値が、チケットとともに受信した時刻情報が示す値と同じ値になるように、当該レコードの「決済日時」フィールドの値を更新する。なお、レジ端末２００から受信したチケットがサーバ１００によって発行されたチケットでないと照合部１２１が判定した場合には、スタンプ付与処理部１２２は、スタンプを付与しなかった旨を示す情報をレジ端末２００に返却する。
【００７８】
Ｓ９の後、スタンプ付与処理部１２２は、スタンプが付与された代表者のチケットをレジ端末２００に送信する（Ｓ１０）。なお、スタンプ付与処理部１２２は、Ｓ１０において、チケットではなく、チケットが有効である旨を示す情報を送信してもよい。
【００７９】
チケットを受信したレジ端末２００の情報送信処理部２２３は、当該チケットに関連付けられている時刻情報と店舗ＩＤとを記憶部２１０から読み出し、時刻情報と店舗ＩＤとのぺアを超音波通信でレジ端末２００の周囲に送信する（Ｓ１１）。その結果、各同行者の携帯端末３００Ｂは、時刻情報と店舗ＩＤと受信することになる。なお、本実施形態では、チケットの送信を行った携帯端末３００Ａ（スタンプが既に付与されている代表者の携帯端末３００Ａ）は、時刻情報及び店舗ＩＤを受信した場合、時刻情報及び店舗ＩＤを破棄する。
【００８０】
Ｓ１１の後、各同行者の携帯端末３００Ｂのスタンプ付与要求処理部３２２は、記憶部３１０から読み出したユーザＩＤ及びチケットを、超音波通信によって受信した時刻情報及び店舗ＩＤと共に、サーバ１００に送信する（Ｓ１２）。
【００８１】
チケットと時刻情報と店舗ＩＤとの組み合わせを受信したサーバ１００の照合部１２１は、特典の付与を受けるために必要な２つのデータ（サーバ１００が代表者に発行したチケット、及び、代表者の決済時刻を正確に又は概ね示す時刻情報）が受信した情報の中に含まれているかを判定する。
【００８２】
具体的には、照合部１２１は、携帯端末３００Ｂから受信したチケットがサーバ１００によって発行されたチケットであるか否かを判定する。具体的には、照合部１２１は、店舗利用情報テーブルの中に、「チケット」フィールドの値が携帯端末３００Ｂから受信したチケットの値と同じであるようなレコードが存在するか否かを判定する。照合部１２１は、携帯端末３００Ｂから受信したチケットがサーバ１００によって発行されたチケットであると判定した場合、『携帯端末３００Ｂから受信した時刻情報が示す時刻が、当該レコード内の「決済日時」フィールドが示す時刻からの一定期間（例えば、当該時刻から始まる２分または３分の期間）に含まれている』か否かを判定する。
【００８３】
そして、特典の付与を受けるために必要な２つのデータが受信した情報の中に含まれていると照合部１２１が判定した場合、スタンプ付与処理部１２２は、Ｓ１２にてこれら２つのデータと一緒に送信されたユーザＩＤの値が示すユーザ（同行者）にスタンプを付与する（Ｓ１３）。
【００８４】
（特典付与システムの利点）
以上のように、本実施形態に係る特典付与システムは、ユーザ毎に該ユーザのユーザＩＤと該ユーザが店舗を利用した時を示す時刻情報と該ユーザに付与された特典の量とを管理するサーバ１００と、レジ端末２００と、を含んでいる。
【００８５】
サーバ１００のチケット生成部１２３（第１送信手段）は、グループの代表者の携帯端末３００Ａからチケット要求とともにユーザＩＤを受信した場合に、グループで店舗に訪れた顧客が特典の付与を受けるために必要なチケットであって該グループで共有すべき情報であるチケットを生成し、生成したチケットを携帯端末３００Ａに送信する。
【００８６】
レジ端末２００の時刻情報生成部２２２（第２送信手段）は、チケットを非接触型通信により携帯端末３００Ａから受信した場合に、受信したチケット及び時刻情報をサーバ１００に送信する。
【００８７】
チケット生成部１２３によって携帯端末３００Ａに送信されたチケットをサーバ１００がレジ端末２００から受信すると、チケット生成部１２３（更新手段）は、代表者が店舗を利用した時（具体的には、代表者の決済日時）を示す、店舗利用情報テーブルの「決済日時」フィールドを更新する。
【００８８】
「決済日時」フィールドが更新された後、レジ端末２００の情報送信処理部２２３（第３送信手段）は、更新後の「決済日時」フィールドの値と同じ値を示す時刻情報を超音波通信によってレジ端末２００の周囲に送信する。
【００８９】
上記の構成によれば、スタンプを受けるために必要な２つのデータ（代表者から配布されたチケット、及び、超音波通信により送信された、代表者の決済時刻を正確に又は概ね示す時刻情報）がグループに属する同行者の携帯端末３００Ｂに保存される。一方で、代表者からチケットを配布されたが実際には店舗に訪れなかった者の携帯端末には、スタンプを受けるために必要な２つのデータが揃わない。同様に、決済をしているグループではない他のグループが超音波通信によるデータを受信可能な範囲に居る場合にも、当該他のグループに属する者の携帯端末には、スタンプを受けるために必要な２つのデータが揃わない。
【００９０】
また、決済をしているグループ内の各同行者は、スタンプを受けるために自身の携帯端末３００Ｂを非接触型ＩＣリーダ／ライタ２４０にかざす必要はないので、スタンプを効率的に受けることができる。
【００９１】
したがって、上記特典付与システムは、グループ単位で決済が行われる店舗において決済を行った結果として受けるべきスタンプを、当該決済を行ったグループに属する各メンバのみが効率的に受けることを可能にする、という効果を奏する。
【００９２】
（実施形態１の付記事項１）
図５のシーケンス図のＳ８において、レジ端末２００は、チケットおよび時刻情報に加えて、決済を行っているグループのレジ端末２００での決済金額を示す情報をサーバ１００に送信してもよい。また、店舗利用情報テーブルには、「ユーザＩＤ」「チケット」「店舗ＩＤ」「決済日時」の各フィールドに加えて、「決済金額」フィールドが設けられていてもよい。
【００９３】
そして、サーバ１００のチケット生成部１２３は、対象となるレコードの「決済日時」フィールドの値を更新する際に、対象となるレコードの「決済金額」フィールドの値をレジ端末２００から受信した情報が示す決済金額を示す値に更新してもよい。
【００９４】
さらに、Ｓ１２の後に、特典の付与を受けるために必要な２つのデータが受信した情報の中に含まれていると照合部１２１が判定した場合、スタンプ付与処理部１２２は、Ｓ１２にてこれら２つのデータと一緒に送信されたユーザＩＤの値が示すユーザ（同行者）に、対象となるレコードの「決済金額」フィールドの値の大きさに応じた数のスタンプを付与してもよい。具体的には、スタンプ付与処理部１２２は、対象となるレコードの「決済金額」フィールドの値が大きい程、より多数のスタンプを付与してもよい。
【００９５】
（実施形態１の付記事項２）
サーバ１００は、本実施形態に係る特典付与システムを利用する複数の店舗の各々について、該店舗でユーザが使用可能なスタンプの累計数をユーザ毎に管理するようになっていてもよい。例えば、ユーザ情報テーブルには、「ユーザＩＤ」「名前」「累計スタンプ数」の各フィールドに加えて、「店舗ＩＤ」フィールドが設けられていてもよい。この場合、例えば、「ユーザＩＤ」フィールドの値が“０００１”であって「店舗ＩＤ」フィールドの値が“０００１”であるようなレコードにおける「累計スタンプ数」フィールドの値は、「ユーザＩＤとして“０００１”が割り当てられたユーザが、店舗ＩＤとして“０００１”が割り当てられた店舗で利用可能なスタンプの累計数」を示すことになる。
【００９６】
そして、Ｓ１２の後に、特典の付与を受けるために必要な２つのデータが受信した情報の中に含まれていると照合部１２１が判定した場合、スタンプ付与処理部１２２は、「ユーザＩＤ」フィールドの値がＳ１２にて送信されたユーザＩＤの値と同じ値であり、且つ、「店舗ＩＤ」フィールドの値がＳ１２にて送信された店舗ＩＤの値と同じ値であるようなレコードがユーザ情報テーブルの中に存在するか否かを判定してもよい。
【００９７】
スタンプ付与処理部１２２は、ユーザ情報テーブルの中にそのようなレコードが存在すると判定した場合、特典を付与するために、当該レコードの「累計スタンプ数」フィールドの値を、Ｓ５で開始された決済の結果として付与すべきスタンプの数だけ増加させることになる。また、スタンプ付与処理部１２２は、ユーザ情報テーブルの中にそのようなレコードが存在しないと判定した場合、そのようなレコードをユーザ情報テーブルの中に作成し、作成したレコードの「累計スタンプ数」フィールドの値を、Ｓ５で開始された決済の結果として付与すべきスタンプの数と同じ値にしてもよい。
【００９８】
（実施形態１の付記事項３）
本実施形態では、レジ端末２００の時刻情報生成部２２２が時刻情報を生成したが、レジ端末２００に時刻情報生成部２２２は含まれていなくともよい。例えば、レジ端末２００は、非接触型通信により携帯端末３００Ａからチケットを受信すると、時刻情報を生成することなく、チケットのみをサーバ１００に送信してもよい。そして、サーバ１００は、レジ端末２００からチケットを受信した時刻を代表者が店舗を利用した時と見做し、店舗利用情報テーブルの対象レコードの「決済日時」フィールドの値を、レジ端末２００からチケットを受信した時刻を示す値に更新してもよい。そして、サーバ１００は、チケットと共に、又は、チケットに代えて、レジ端末２００からチケットを受信した時刻を示す時刻情報をレジ端末２００に送信し、レジ端末２００は、サーバ１００から受信した時刻情報を超音波通信によりレジ端末２００の周囲に送信してもよい。
【００９９】
また、レジ端末２００は、グループの来店時に、グループの各メンバの携帯端末との間で超音波通信又はビーコン通信を行うことで、グループの各メンバの来店日時およびユーザＩＤを検知してもよい。そして、レジ端末２００は、来店したグループの各メンバについて、当該メンバのユーザＩＤと当該メンバの来店時刻を示す情報とのペアをサーバ１００に送信してもよい。この場合、サーバ１００は、店舗利用情報テーブルを参照して代表者の来店日時を特定し、「決済日時」フィールドの代わりに店舗利用情報テーブルに設けられた「来店日時」フィールドを、来店日時を示す値と同じ値に更新してもよい。そして、グループの決済時に、レジ端末２００が非接触型通信により携帯端末３００Ａから受信したチケットをサーバ１００に送信すると、サーバ１００は、以下の処理を行ってもよい。
【０１００】
すなわち、サーバ１００は、店舗利用情報テーブルの中から当該チケットの値と同じ値が「チケット」フィールドに保存されているようなレコードを特定することで携帯端末３００Ａのユーザ（代表者）の来店日時を特定し、特定した来店日時を示す時刻情報をレジ端末２００に送信してもよい。
【０１０１】
そして、レジ端末２００は、サーバ１００から受信した時刻情報を超音波通信によりレジ端末２００の周囲に送信してもよい。
【０１０２】
＜実施形態２＞
以下、図７〜図１３を参照して、本発明の別の一実施形態に係る特典付与システムについて説明する。なお、本実施形態に係る特典付与システムも、特典としてスタンプを付与するようになっているが、本発明に係る特典付与システムはそのような構成に限られない。すなわち、本発明に係る特典付与システムは、ポイントやマイル、クーポン等の特典を付与するようなシステムであってもよい。
【０１０３】
また、説明の便宜上、実施形態１にて説明した部材と全く同じ機能又は略同じ機能を有する部材については、基本的に同じ符号を付記し、その説明を省略する。
【０１０４】
（特典付与システムの概要）
本実施形態に係る特典付与システムの概要について図７を参照しながら説明する。図７は、本実施形態に係る特典付与システムのシステム構成図である。
【０１０５】
図７に示すように、本実施形態に係る特典付与システムは、クラウド上に設置されているサーバ１００’、店舗に設置されているレジ端末２００’、および、携帯端末４００を含んでいる。また、レジ端末２００’が設置される店舗は、実施形態１と同様、グループ単位で決済が行われる店舗である。
【０１０６】
本実施形態に係る特典付与システムでは、グループの代表者は、グループで店舗に来店する前に、グループが特典の付与を受けるために必要な２つのデータのうちの１つである共有ＵＲＬが記載されたデータをサーバ１００’から取得し、共有ＵＲＬを当該グループの各同行者に知らせることになっている。すなわち、共有ＵＲＬも、実施形態１で用いたチケットと同様、グループで店舗に訪れた顧客が特典の付与を受けるために必要な情報であって該グループで共有すべき情報である共有情報であると言える。
【０１０７】
また、レジ端末２００’には、非接触型ＩＣカードリーダ／ライタ２４０、及び、超音波発信装置２５０が接続されている。本実施形態に係る特典付与システムも、代表者が決済時にレジ端末２００’の傍にある非接触型ＩＣカードリーダ／ライタ２４０に自身の携帯端末をかざすと、代表者に特典を付与するようになっている。そして、特典付与システムは、グループが特典の付与を受けるために必要な２つのデータのうちのもう１つであるスタンプ獲得用ＵＲＬ（アドレス）が記述されたデータ（アドレス情報）を超音波発信装置２５０が発する超音波にのせて送信するようになっている。
【０１０８】
その結果、代表者の近くに居る同行者の携帯端末４００（４００Ｂ）のみに、特典の付与を受けるために必要な２つのデータが揃うようになっている。そのため、決済を行った結果として受けるべき特典を、当該決済を行ったグループに属する各メンバのみが受けることができる。また、同行者は非接触型ＩＣカードリーダ／ライタ２４０に携帯端末をかざさなくとも特典を受けることができるため、決済を行ったグループに属する各メンバは、効率良く特典を受けることができる。
【０１０９】
（特典付与システムの構成）
次に、本実施形態に係る特典付与システムを構成する各装置の要部構成について図８及び図９を参照しながら説明する。図８は、本実施形態に係る特典付与システムの各装置の要部構成を示すブロック図である。また、図９は、サーバ１００’に保存されている各種データベーステーブルの一部のレコードを抽出して例示した図である。図９の（ａ）は、ユーザ情報テーブルの一部のレコードを抽出して例示した図であり、図９の（ｂ）は、店舗利用情報テーブルの一部のレコードを抽出して例示した図である。
【０１１０】
（サーバ１００’）
図８に示すように、サーバ１００’は、記憶部１１０、制御部１２０’、通信Ｉ／Ｆ部１３０を備えている。
【０１１１】
（制御部１２０’）
ＣＰＵにあたる制御部１２０’は、対応するプログラムを実行することにより、スタンプ付与可否判定部１２１’（判定手段）、スタンプ付与処理部１２２’（特典付与手段）、及び、ＵＲＬ生成部１２３’（第１送信手段、第３送信手段）として機能する。
【０１１２】
ＵＲＬ生成部１２３’は、代表者の携帯端末４００Ａから予約情報を受け取り、予約を承認した場合に、共有ＵＲＬと当該共有ＵＲＬに対応するスタンプ獲得用ＵＲＬとを生成し、生成した共有ＵＲＬが記述されたデータを携帯端末４００Ａに送信する。共有ＵＲＬが示すデータ、及び、スタンプ獲得用ＵＲＬが示すデータは、記憶部１１０に保存されている。ＵＲＬ生成部１２３’は、共有ＵＲＬ及びスタンプ獲得用ＵＲＬを生成すると、予約情報（代表者のユーザＩＤ、予約する店舗の店舗ＩＤ、来店日時、来店人数）と、生成した共有ＵＲＬ及びスタンプ獲得用ＵＲＬとを用いて、図９の（ｂ）に例示されているレコードを店舗利用情報テーブル内に作成する。
【０１１３】
また、ＵＲＬ生成部１２３’は、レジ端末２００’から受信したユーザＩＤの値と同じ値が「ユーザＩＤ」フィールドに保存され、レジ端末２００’から受信した店舗ＩＤの値と同じ値が「店舗ＩＤ」フィールドに保存されているレコードを、店舗利用情報テーブルの中から特定する。そして、ＵＲＬ生成部１２３’は、特定したレコードの「スタンプ獲得用ＵＲＬ」フィールドの値を読み出し、読み出したスタンプ獲得用ＵＲＬが記述されたデータ（アドレス情報）をレジ端末２００’に送信する。
【０１１４】
スタンプ付与可否判定部１２１’は、携帯端末から受信したデータの中に該携帯端末のユーザに割り当てられたユーザＩＤと該携帯電話が共有ＵＲＬを参照した旨を示すクッキー情報との両方が含まれているかを判定する。
【０１１５】
スタンプ付与処理部１２２’は、スタンプ付与可否判定部１２１’によって上記ユーザＩＤと上記クッキー情報との両方が含まれていると判定された場合に、当該ユーザＩＤが割り当てられたユーザに特典を付与する。
【０１１６】
（レジ端末２００’）
図８に示すように、レジ端末２００’は、記憶部２１０、制御部２２０’、通信Ｉ／Ｆ部２３０を備えており、近傍にある非接触型ＩＣリーダ／ライタ２４０及び超音波発信装置２５０と接続されている。また、レジ端末２００’は、レジ端末２００と同様に、操作部２６０を備え、バーコードリーダ２７０と接続されている。
【０１１７】
（制御部２２０’）
ＣＰＵにあたる制御部２２０’は、対応するプログラムを実行することにより、決済処理部２２１’、スタンプ獲得用ＵＲＬ取得処理部２２２’（第２送信手段）、及び、スタンプ獲得用ＵＲＬ送信処理部２２３’（第４送信手段）として機能する。
【０１１８】
決済処理部２２１’は、伝票のバーコードをレジ端末２００’のバーコードリーダ２７０が読み取ったことをトリガとして決済処理を開始する。
【０１１９】
スタンプ獲得用ＵＲＬ取得処理部２２２’は、決済処理の開始をトリガとして、非接触型ＩＣリーダ／ライタ２４０の読み取り動作が有効になるように非接触型ＩＣリーダ／ライタ２４０を制御する。そして、スタンプ獲得用ＵＲＬ取得処理部２２２’は、非接触型ＩＣリーダ／ライタ２４０に代表者の携帯端末４００Ａがかざされると記憶部２１０から店舗ＩＤを読み出し、非接触型通信により携帯端末４００Ａから受信したユーザＩＤと一緒に、読み出した店舗ＩＤをサーバ１００’に送信する。
【０１２０】
そして、スタンプ獲得用ＵＲＬ取得処理部２２２’は、ユーザＩＤおよび店舗ＩＤの送信に対する応答として、サーバ１００’からスタンプ獲得用ＵＲＬが記述されたデータを取得する。
【０１２１】
スタンプ獲得用ＵＲＬ送信処理部２２３’は、スタンプ獲得用ＵＲＬ取得処理部２２２’がスタンプ獲得用ＵＲＬの記述されたデータをサーバ１００’から取得したことをトリガとして、当該データを超音波発信装置２５０が発信している超音波に乗せることにより、当該データをレジ端末２００’の周囲に送信する。
【０１２２】
（携帯端末４００）
図８に示すように、携帯端末４００は、記憶部４１０、制御部４２０、通信Ｉ／Ｆ部４３０、非接触型ＩＣ部４４０、及び、超音波受信部４５０を備えている。
【０１２３】
記憶部４１０、通信Ｉ／Ｆ部４３０、非接触型ＩＣ部４４０、及び、超音波受信部４５０は、それぞれ、既に説明した記憶部３１０、通信Ｉ／Ｆ部３３０、非接触型ＩＣ部３４０、及び、超音波受信部３５０と同じ部材である。従って、記憶部４１０、通信Ｉ／Ｆ部４３０、非接触型ＩＣ部４４０、及び、超音波受信部４５０についての説明は省略する。
【０１２４】
（制御部４２０）
ＣＰＵにあたる制御部４２０は、対象アプリを実行することにより、共有ＵＲＬ取得処理部４２１、及び、スタンプ付与要求処理部４２２として機能する。また、対象アプリが実行されると、制御部４２０は、超音波通信により送信されるデータを受信できるように超音波受信部４５０を制御する。
【０１２５】
共有ＵＲＬ取得処理部４２１は、対象アプリを用いた店舗予約のための操作を受け付けると、対象アプリを用いて入力された予約情報をサーバ１００’に送信する。サーバ１００’が予約を承認した場合、共有ＵＲＬ取得処理部４２１は、共有ＵＲＬが記述されたデータを受信する。共有ＵＲＬ取得処理部４２１は、受信した当該データを記憶部４１０に保存する。
【０１２６】
また、共有ＵＲＬ取得処理部４２１は、携帯端末４００が共有ＵＲＬにアクセスするユーザ操作を受け付けると、当該共有ＵＲＬにアクセスした旨を示すクッキー情報を記憶部４１０に保存する。
【０１２７】
スタンプ付与要求処理部４２２は、携帯端末４００がレジ端末２００’から受信済のスタンプ獲得用ＵＲＬにアクセスするユーザ操作を受け付けると、スタンプ獲得用ＵＲＬが示すデータのＨＴＴＰリクエストを送信する。なお、前述のクッキー情報が記憶部４１０に保存されている場合、スタンプ付与要求処理部４２２は、当該クッキー情報を含むようなＨＴＴＰリクエストを送信する。
【０１２８】
（特典付与システムの動作）
次に、グループで来店する顧客の代表者が携帯端末４００Ａの対象アプリを用いて予約情報を入力してから顧客に特典が付与されるまでの特典付与システムの動作について図１０〜図１３を参照しながら説明する。図１０は、当該動作の一部（予約工程）を示すシーケンス図である。また、図１１は、図１０に示された予約工程の続きの工程を示すシーケンス図であり、図１２は、図１１に示された工程の続きの工程を示すシーケンス図である。また、図１３は、当該動作を説明するための補足図である。
【０１２９】
図１０及び図１３に示すように、最初に、携帯端末４００Ａの共有ＵＲＬ取得処理部４２１は、ユーザＩＤ、店舗ＩＤ、来店日時及び来店人数を含む予約情報をサーバ１００’に送信する（Ｓ２１）。
【０１３０】
予約情報を受信したサーバ１００’のＵＲＬ生成部１２３’は、予約を承認可能か（すなわち、指定された日時に指定された店舗に来店した場合にグループ全員が着席可能なテーブルがあるか）否かを公知の方法を用いて判定する（Ｓ２２）。
【０１３１】
ＵＲＬ生成部１２３’は、Ｓ２２にて予約を承認できないと判定した場合、予約が却下された旨を示す情報を携帯端末４００Ａに送信し（Ｓ２６）、携帯端末４００Ａの共有ＵＲＬ取得処理部４２１は、予約が却下された旨を示す情報を携帯端末４００Ａの表示画面（図示せず）に表示する。
【０１３２】
一方、ＵＲＬ生成部１２３’は、Ｓ２２にて予約を承認できると判定した場合、予約が承認された旨を示す情報と共有ＵＲＬが記述されたデータとを携帯端末４００Ａに送信し（Ｓ２４）、携帯端末４００Ａの共有ＵＲＬ取得処理部４２１は、予約が承認された旨を示す情報と共有ＵＲＬとを携帯端末４００Ａの表示画面に表示する（Ｓ２５）。
【０１３３】
Ｓ２５の後、携帯端末４００Ａを所有する代表者が共有ＵＲＬを各同行者に知らせる。例えば、代表者は、携帯端末４００Ａのメール機能を用いて、携帯端末４００Ａに対し、共有ＵＲＬが記述されたデータを携帯端末４００Ｂに送信させる（Ｓ２８）。なお、共有ＵＲＬが記述されたデータは、携帯端末４００Ａから携帯端末４００Ｂに無線通信（赤外線通信やBluetooth（登録商標）通信等）により送信されてもよい。あるいは、特典付与システムは、Ｓ２８の工程を行わなくてもよい。すなわち、代表者は、共有ＵＲＬを各同行者に口頭で知らせてもよい。
【０１３４】
Ｓ２８の後、携帯端末４００Ｂが、共有ＵＲＬにアクセスする操作を受け付けると（Ｓ２９）、携帯端末４００Ｂの制御部４２０は、共有ＵＲＬが示すデータのＨＴＴＰリクエストをサーバ１００’に送信する（Ｓ３０）。
【０１３５】
ＨＴＴＰリクエストを受信したサーバ１００’の制御部１２０’は、共有ＵＲＬにアクセスした旨を示すクッキーを含むＨＴＴＰレスポンスを携帯端末４００Ｂに送信する（Ｓ３１）。このクッキーには、アクセスされた共有ＵＲＬを示す文字列が含まれていてもよい。
【０１３６】
ＨＴＴＰレスポンスを受信した携帯端末４００Ｂの制御部４２０は、ＨＴＴＰレスポンスに含まれているクッキーを記憶部４１０に保存する（Ｓ３２）。
【０１３７】
Ｓ３２の後、携帯端末４００Ａを所有する者が代表者であり、携帯端末４００Ｂを所有する者が同行者であるようなグループがレストランに訪れたものとする。さらに、グループが食事を終えて、レジ端末２００’が設置されている会計場所に移動したものとする。また、会計場所に移動したグループの各人は、対象アプリを起動させたものとする。
【０１３８】
代表者が伝票をレジ担当者に渡し、レジ端末２００’のバーコードリーダ２７０が伝票のバーコードを読み込むと、レジ端末２００’の決済処理部２２１が決済処理を開始する（Ｓ４１）。
【０１３９】
Ｓ４１の後、代表者が携帯端末４００Ａを非接触型ＩＣリーダ／ライタ２４０にかざすと、携帯端末４００Ａの非接触型ＩＣ部４４０はユーザＩＤをレジ端末２００’に送信する（Ｓ４２）。
【０１４０】
ユーザＩＤを受信したレジ端末２００’のスタンプ獲得用ＵＲＬ取得処理部２２２’は、記憶部２１０から店舗ＩＤを読み出し、読み出した店舗ＩＤと携帯端末４００Ａから受信したユーザＩＤとのペアをサーバ１００’に送信する（Ｓ４３）。
【０１４１】
店舗ＩＤとユーザＩＤとのペアを受信したサーバ１００’のＵＲＬ生成部１２３’は、店舗利用情報テーブルの中に、「ユーザＩＤ」フィールドの値がレジ端末２００’から受信したユーザＩＤの値と同じであり、且つ、「店舗ＩＤ」フィールドの値がレジ端末２００’から受信した店舗ＩＤの値と同じであるようなレコードが存在するか否かを判定する。そして、ＵＲＬ生成部１２３’は、そのようなレコードが存在すると判定した場合、当該レコード内の「ユーザＩＤ」フィールドの値が示すユーザ（すなわち、代表者）にスタンプを付与する（Ｓ４４）。なお、ＵＲＬ生成部１２３’は、そのようなレコードが存在しないと判定された場合には、スタンプを付与しなかった旨を示す情報をレジ端末２００’に返却する。
【０１４２】
Ｓ４４の後、ＵＲＬ生成部１２３’は、上記レコードの「スタンプ獲得用ＵＲＬ」フィールドの値を読み出し、スタンプ獲得用ＵＲＬが記述されたデータをレジ端末２００’に送信する（Ｓ４５）。
【０１４３】
スタンプ獲得用ＵＲＬが記述されたデータを受信したレジ端末２００’のスタンプ獲得用ＵＲＬ送信処理部２２３’は、当該データを超音波通信でレジ端末２００’の周囲に送信する（Ｓ４６）。その結果、各同行者の携帯端末４００Ｂは、スタンプ獲得用ＵＲＬが記述されたデータを受信することになる。なお、本実施形態では、レジ端末２００’にユーザＩＤの送信を行った携帯端末４００Ａ（スタンプが既に付与されている代表者の携帯端末４００Ａ）は、スタンプ獲得用ＵＲＬが記述されたデータを受信した場合、当該データを破棄するようになっている。
【０１４４】
Ｓ４６の後、携帯端末４００Ｂが、スタンプ獲得用ＵＲＬにアクセスする操作を受け付けると（Ｓ４７）、携帯端末４００Ｂのスタンプ付与要求処理部４２２は、スタンプ獲得用ＵＲＬが示すデータのＨＴＴＰリクエストであって、共有ＵＲＬにアクセスした旨を示すクッキー情報と携帯端末４００ＢのユーザのユーザＩＤとを含むＨＴＴＰリクエストをサーバ１００’に送信する（Ｓ４８）。
【０１４５】
なお、本実施形態では、決済をしているグループではない他のグループが超音波通信によるデータを受信可能な範囲に居り、当該グループのメンバの携帯端末４００によってスタンプ獲得用ＵＲＬが記述されたデータが受信されたものとする。当該携帯端末４００が、スタンプ獲得用ＵＲＬにアクセスする操作を受け付けると（Ｓ４７）、当該携帯端末４００のスタンプ付与要求処理部４２２は、スタンプ獲得用ＵＲＬが示すデータのＨＴＴＰリクエストをサーバ１００’に送信する（Ｓ４８）。ただし、このＨＴＴＰリクエストには、共有ＵＲＬにアクセスした旨を示すクッキー情報が含まれていない。当該携帯端末４００の所有者は、決済をしているグループの共有ＵＲＬを知らないため、共有ＵＲＬにアクセスする操作をしていないからである。
【０１４６】
Ｓ４８の後、各ＨＴＴＰリクエストを受信したサーバ１００’のスタンプ付与可否判定部１２１’は、各ＨＴＴＰリクエストについて、以下の処理を行う。
【０１４７】
すなわち、スタンプ付与可否判定部１２１’は、リクエストされたスタンプ獲得用ＵＲＬを示す値が「スタンプ獲得用ＵＲＬ」フィールドに保存されているレコードを店舗利用情報テーブルの中から特定し、特定したレコードに含まれている「共有ＵＲＬ」フィールドの値を特定する。そして、スタンプ付与可否判定部１２１’は、特定した「共有ＵＲＬ」フィールドの値と同じ値を含むクッキー情報がＨＴＴＰリクエストに含まれているか否かを判定する。
【０１４８】
スタンプ付与可否判定部１２１’は、そのようなクッキー情報がＨＴＴＰリクエストに含まれていると判定した場合には、スタンプ付与処理部１２２’に対し、当該ＨＴＴＰリクエストに含まれているユーザＩＤが割り当てられているユーザにスタンプを付与すべき旨を通知する。
【０１４９】
スタンプ付与処理部１２２’は、スタンプ付与可否判定部１２１’からの通知に基づき、スタンプを付与すべき携帯端末４００Ｂのユーザ（同行者）のみにスタンプを付与する（Ｓ４９）。
【０１５０】
（特典付与システムの利点）
以上のように、本実施形態に係る特典付与システムは、ユーザ毎に該ユーザのユーザＩＤと該ユーザに付与された特典の量とを管理するサーバ１００’と、レジ端末２００’と、を含んでいる。
【０１５１】
サーバ１００’のＵＲＬ生成部１２３’（第１送信手段）は、グループの代表者の携帯端末４００ＡからユーザＩＤを含む予約情報を受信した場合に、グループで店舗に訪れた顧客が特典の付与を受けるために必要な情報であって該グループで共有すべき情報である共有ＵＲＬを生成し、生成した共有ＵＲＬが記述されたデータを携帯端末４００Ａに送信する。
【０１５２】
レジ端末２００’のスタンプ獲得用ＵＲＬ取得処理部２２２’（第２送信手段）は、非接触型通信によりユーザＩＤを携帯端末４００Ａから受信した場合に、受信したユーザＩＤをサーバ１００’に送信する。
【０１５３】
ユーザＩＤを受信したサーバ１００’のＵＲＬ生成部１２３’（第３送信手段）は、上記グループがスタンプを獲得するために携帯端末４００Ｂがアクセスすべきスタンプ獲得用ＵＲＬが記述されたデータをレジ端末２００’に送信する。
【０１５４】
スタンプ獲得用ＵＲＬが記述されたデータを受信したレジ端末２００’のスタンプ獲得用ＵＲＬ送信処理部２２３’（第４送信手段）は、スタンプ獲得用ＵＲＬが記述されたデータを超音波通信によってレジ端末２００’の周囲に送信する。
【０１５５】
上記の構成によれば、スタンプを受けるために必要な２つのデータ（代表者から知らされた共有ＵＲＬが記述されたデータ、及び、超音波通信により送信された、スタンプ獲得用ＵＲＬが記述されたデータ）がグループに属する同行者の携帯端末４００Ｂに保存される。一方で、代表者から共有ＵＲＬを知らされたが実際には店舗に訪れなかった者の携帯端末には、スタンプを受けるために必要な２つのデータが揃わない。同様に、決済をしているグループではない他のグループが超音波通信によるデータを受信可能な範囲に居る場合にも、当該他のグループに属する者の携帯端末には、スタンプを受けるために必要な２つのデータが揃わない。
【０１５６】
また、決済をしているグループ内の各同行者は、スタンプを受けるために自身の携帯端末４００Ｂを非接触型ＩＣリーダ／ライタ２４０にかざす必要はないので、スタンプを効率的に受けることができる。
【０１５７】
したがって、上記特典付与システムも、実施形態１に係る特典付与システムと同様、グループ単位で決済が行われる店舗において決済を行った結果として受けるべきスタンプを、当該決済を行ったグループに属する各メンバのみが効率的に受けることを可能にする、という効果を奏する。
【０１５８】
（実施形態２の付記事項）
サーバ１００’は、サーバ１００と同様の方法により、特典付与システムを利用する複数の店舗の各々について、該店舗でユーザが使用可能なスタンプの累計数をユーザ毎に管理するようになっていてもよい。
【０１５９】
この場合、スタンプ獲得用ＵＲＬ送信処理部２２３’は、Ｓ４６において、超音波通信により、スタンプ獲得用ＵＲＬが記述されたデータとともに店舗ＩＤをレジ端末２００’の周囲に送信してもよい。
【０１６０】
そして、携帯端末４００Ｂが、Ｓ４７にてスタンプ獲得用ＵＲＬにアクセスする操作を受け付けると、スタンプ付与要求処理部４２２は、Ｓ４８にて、スタンプ獲得用ＵＲＬが示すデータのＨＴＴＰリクエストであって、共有ＵＲＬにアクセスした旨を示すクッキー情報と携帯端末４００ＢのユーザのユーザＩＤと超音波通信により受信した店舗ＩＤとを含むＨＴＴＰリクエストをサーバ１００’に送信してもよい。
【０１６１】
さらに、スタンプ付与処理部１２２’は、Ｓ４８で送信されたＨＴＴＰリクエストに含まれているユーザＩＤが割り当てられているユーザにスタンプを付与すべき旨の通知を受けた場合、当該ＨＴＴＰリクエストに含まれている店舗ＩＤを特定してもよい。そして、スタンプ付与処理部１２２’は、ＨＴＴＰリクエストに含まれているユーザＩＤが割り当てられているユーザに、特定した店舗ＩＤが割り当てられている店舗で使用可能なスタンプを付与してもよい。
【０１６２】
＜実施形態３＞
以下、図１０、図１１、図１４を参照して、本発明のさらに別の一実施形態に係る特典付与システムについて説明する。なお、本実施形態に係る特典付与システムも、特典としてスタンプを付与するようになっているが、本発明に係る特典付与システムはそのような構成に限られない。すなわち、本発明に係る特典付与システムは、ポイントやマイル、クーポン等の特典を付与するようなシステムであってもよい。
【０１６３】
本実施形態に係る特典付与システムは、実施形態２に係る特典付与システムと類似しているが、主に以下の点で、実施形態２に係る特典付与システムと異なっている。
・携帯端末４００Ａのユーザ（代表者）は、決済時に携帯端末４００Ａを非接触型ＩＣリーダ／ライタ２４０にかざすことでスタンプを受けることはできない。携帯端末４００Ａのユーザ（代表者）は、携帯端末４００Ｂのユーザ（同行者）と同様に、共有ＵＲＬ及びスタンプ獲得用ＵＲＬにアクセスする操作を行うことで、スタンプを受けることができる。
・携帯端末４００Ａのユーザ（代表者）は、決済時に伝票を店員に渡すだけで（携帯端末４００Ａを非接触型ＩＣリーダ／ライタ２４０にかざすことなく）、スタンプ獲得用ＵＲＬを知ることができる。
【０１６４】
なお、説明の便宜上、実施形態１にて説明した部材と全く同じ機能又は略同じ機能を有する部材については、基本的に同じ符号を付記し、その説明を省略する。
【０１６５】
本実施形態に係る特典付与システムの構成は、実施形態２に係る特典付与システムの構成と同じであるので、本実施形態に係る特典付与システムの構成の説明は省略する。
【０１６６】
（特典付与システムの動作）
次に、グループで来店する顧客の代表者が携帯端末４００Ａの対象アプリを用いて予約情報を入力してから顧客に特典が付与されるまでの特典付与システムの動作について図１０、図１１及び図１４を参照しながら説明する。図１４は、図１１に示された工程の続きの工程を示すシーケンス図である。
【０１６７】
本実施形態に係る特典付与システムは、実施形態２に係る特典付与システムと同様、最初に図１０に示された工程（予約工程）を行い、次に、図１１に示された工程を行う。図１１のＳ３２の工程が終わった後、代表者が携帯端末４００Ａを用いて共有ＵＲＬにアクセスする操作を行うものとする。
【０１６８】
携帯端末４００Ａが、共有ＵＲＬにアクセスする操作を受け付けると（Ｓ５１）、携帯端末４００Ａの制御部４２０は、共有ＵＲＬが示すデータのＨＴＴＰリクエストをサーバ１００’に送信する（Ｓ５２）。
【０１６９】
ＨＴＴＰリクエストを受信したサーバ１００’の制御部１２０’は、共有ＵＲＬにアクセスした旨を示すクッキーを含むＨＴＴＰレスポンスを携帯端末４００Ａに送信する（Ｓ５３）。このクッキーには、アクセスされた共有ＵＲＬを示す文字列が含まれていてもよい。
【０１７０】
ＨＴＴＰレスポンスを受信した携帯端末４００Ａの制御部４２０は、ＨＴＴＰレスポンスに含まれているクッキーを記憶部４１０に保存する（Ｓ５４）。
【０１７１】
Ｓ５４の後、携帯端末４００Ａを所有する者が代表者であり、携帯端末４００Ｂを所有する者が同行者であるようなグループがレストランに訪れたものとする。さらに、グループが食事を終えて、レジ端末２００’が設置されている会計場所に移動したものとする。また、会計場所に移動したグループの各人は、対象アプリを起動させたものとする。また、グループに渡された伝票のバーコードには、予約時に割り当てられた予約ＩＤが埋め込まれているものとする。
【０１７２】
代表者が伝票をレジ担当者に渡し、レジ端末２００’のバーコードリーダ２７０が伝票のバーコードを読み込むと、レジ端末２００’の決済処理部２２１が決済処理を開始する（Ｓ５５）。
【０１７３】
Ｓ５５の後、バーコードを読み取ったレジ端末２００’のスタンプ獲得用ＵＲＬ取得処理部２２２’は、バーコードに埋め込まれている予約ＩＤをサーバ１００’に送信する（Ｓ５６）。
【０１７４】
予約ＩＤを受信したサーバ１００’のＵＲＬ生成部１２３’は、店舗利用情報テーブルの中に、「予約ＩＤ」フィールドの値がレジ端末２００’から受信した予約ＩＤの値と同じであるようなレコードが存在するか否かを判定する。そして、ＵＲＬ生成部１２３’は、そのようなレコードが存在すると判定した場合、ＵＲＬ生成部１２３’は、当該レコードの「スタンプ獲得用ＵＲＬ」フィールドの値を読み出し、スタンプ獲得用ＵＲＬが記述されたデータをレジ端末２００’に送信する（Ｓ５７）。
【０１７５】
スタンプ獲得用ＵＲＬが記述されたデータを受信したレジ端末２００’のスタンプ獲得用ＵＲＬ送信処理部２２３’は、当該データを超音波通信でレジ端末２００’の周囲に送信する（Ｓ５８）。その結果、代表者の携帯端末４００Ａ、及び、各同行者の携帯端末４００Ｂは、スタンプ獲得用ＵＲＬが記述されたデータを受信することになる。
【０１７６】
Ｓ４８の後、決済をしているグループのメンバの携帯端末４００（携帯端末４００Ａ及び携帯端末４００Ｂ）が、スタンプ獲得用ＵＲＬにアクセスする操作を受け付けると（Ｓ５９）、携帯端末４００のスタンプ付与要求処理部４２２は、スタンプ獲得用ＵＲＬが示すデータのＨＴＴＰリクエストであって、共有ＵＲＬにアクセスした旨を示すクッキー情報と携帯端末４００のユーザのユーザＩＤとを含むＨＴＴＰリクエストをサーバ１００’に送信する（Ｓ６０）。
【０１７７】
なお、本実施形態でも、決済をしているグループではない他のグループが超音波通信によるデータを受信可能な範囲に居り、当該グループのメンバの携帯端末４００によってスタンプ獲得用ＵＲＬが記述されたデータが受信されたものとする。当該携帯端末４００が、スタンプ獲得用ＵＲＬにアクセスする操作を受け付けると（Ｓ５９）、当該携帯端末４００のスタンプ付与要求処理部４２２は、スタンプ獲得用ＵＲＬが示すデータのＨＴＴＰリクエストであって共有ＵＲＬにアクセスした旨を示すクッキー情報を含んでいないＨＴＴＰリクエストをサーバ１００’に送信する（Ｓ６０）。
【０１７８】
Ｓ６０の後、各ＨＴＴＰリクエストを受信したサーバ１００’のスタンプ付与可否判定部１２１’は、実施形態２と同様に、各ＨＴＴＰリクエストについて、前述のクッキー情報がＨＴＴＰリクエストに含まれているかを判定する。また、スタンプ付与可否判定部１２１’は、そのようなクッキー情報がＨＴＴＰリクエストに含まれていると判定した場合には、スタンプ付与処理部１２２’に対し、当該ＨＴＴＰリクエストに含まれているユーザＩＤが割り当てられているユーザにスタンプを付与すべき旨を通知する。
【０１７９】
スタンプ付与処理部１２２’は、スタンプ付与可否判定部１２１’からの通知に基づき、スタンプを付与すべき各人（決済をしているグループの各メンバ、すなわち、携帯端末４００Ａのユーザ、及び、各携帯端末４００Ｂのユーザ（同行者））のみにスタンプを付与する（Ｓ６１）。
【０１８０】
＜実施形態４＞
以下、図１５を参照して、本発明のさらに別の一実施形態に係る特典付与システムについて説明する。なお、本実施形態に係る特典付与システムも、特典としてスタンプを付与するようになっているが、本発明に係る特典付与システムはそのような構成に限られない。すなわち、本発明に係る特典付与システムは、ポイントやマイル、クーポン等の特典を付与するようなシステムであってもよい。
【０１８１】
本実施形態に係る特典付与システムは、実施形態２に係る特典付与システムと類似しているが、スタンプを付与するか否かを決定するために共有ＵＲＬにアクセスした旨を示すクッキーを利用しない点で、実施形態２に係る特典付与システムと異なっている。本実施形態に係る特典付与システムは、具体的には、以下の点で実施形態２に係る特典付与システムと動作が異なっている。
・携帯端末４００Ｂのユーザ（同行者）が共有ＵＲＬにアクセスする操作を行った場合、サーバ１００’は、共有パスワード（例えば、ランダムな文字列）を生成し、Ｓ３１にて、共有パスワードが記述されたｈｔｍｌデータを含むＨＴＴＰレスポンスを携帯端末４００Ｂに送信する。その結果、図１５の（ａ）に示すように、携帯端末４００Ｂの表示画面には共有パスワードが表示される。なお、このＨＴＴＰレスポンスには、共有ＵＲＬにアクセスした旨を示すクッキーが含まれていない。
・携帯端末４００Ｂのユーザ（同行者）がスタンプ獲得用ＵＲＬにアクセスする操作を行った場合、携帯端末４００Ｂは、Ｓ４８にてスタンプ獲得用ＵＲＬのＨＴＴＰリクエストをサーバ１００’に送信する際に、共有ＵＲＬにアクセスした旨を示すクッキーを含まないＨＴＴＰリクエストをサーバ１００’に送信する。そして、ＨＴＴＰリクエストを受け取ったサーバ１００’は、図１５の（ｂ）のような画面を表すｈｔｍｌデータを含むＨＴＴＰレスポンスを携帯端末４００Ｂに送信する。携帯端末４００Ｂのユーザが図１５の（ｂ）の画面に文字列を入力し、携帯端末４００Ｂが入力された文字列をサーバ１００’に送信すると、サーバ１００’は、Ｓ４９にて、入力された文字列が共有パスワードの文字列と一致するか否かを判定する。そして、サーバ１００’は、Ｓ４９にて、入力された文字列が共有パスワードの文字列と一致すると判定した場合に限り、携帯端末４００Ｂのユーザにスタンプを付与する。
【０１８２】
なお、本実施形態に係る特典付与システムの構成は、実施形態２に係る特典付与システムの構成と同じであるので、本実施形態に係る特典付与システムの構成の説明は省略する。
【０１８３】
＜実施形態５＞
実施形態１〜４に係る特典付与システムは、各ユーザに付与されている特典の量をサーバにおいて管理するように構成されていた。しかしながら、本発明は、そのように構成されていない本実施形態に係る特典付与システムとしても実現できる。
【０１８４】
以下、図１６及び図１７を参照して、本発明の別の一実施形態に係る特典付与システムについて説明する。図１６は、本実施形態に係る特典付与システムのシステム構成図である。図１７は、本実施形態に係る特典付与システムによる顧客に特典が付与されるまでの動作を説明するための図である。なお、説明の便宜上、実施形態１にて説明した部材と全く同じ機能又は略同じ機能を有する部材については、基本的に同じ符号を付記し、その説明を省略する。
【０１８５】
本実施形態に係る特典付与システムは、顧客の携帯端末に、特典としてポイントを付与するようになっている。なお、本実施形態に係る特典付与システムは、顧客の携帯端末に、特典としてスタンプやクーポン、マイル等を付与するようになっていてもよい。
【０１８６】
図１６に示すように、本実施形態に係る特典付与システムは、クラウド上に設置されているサーバ１００”、店舗に設置されているレジ端末２００”、および、携帯端末５００を含んでいる。また、レジ端末２００”が設置される店舗は、実施形態１と同様、グループ単位で決済が行われる店舗である。
【０１８７】
本実施形態に係る特典付与システムでは、グループの代表者は、グループで店舗に来店する前に、自身の携帯端末５００（５００Ａ）を操作し、図１７に示すように、ポイントの付与を受けるために必要な共有鍵をサーバ１００”から取得する。そして、グループの代表者は、携帯端末５００Ａを操作し、図１７に示すように、携帯端末５００Ａに対し、当該グループの各同行者の携帯端末５００（携帯端末５００Ｂ）に向けて共有鍵を送信させることになっている。
【０１８８】
また、図１６及び図１７に示すように、レジ端末２００”には、非接触型ＩＣカードリーダ／ライタ２４０、及び、超音波発信装置２５０が接続されている。本実施形態に係る特典付与システムでは、代表者が決済時にレジ端末２００”の傍にある非接触型ＩＣカードリーダ／ライタ２４０に自身の携帯端末５００Ａをかざすと、レジ端末２００”は、図１７に示すように非接触型通信により携帯端末５００Ａから供給鍵を受信する。そして、レジ端末２００”は、受信した共有鍵を用いてポイント情報（携帯端末に付与すべきポイント数を示す情報）を暗号化し、図１７に示すように、暗号化されたポイント情報を超音波発信装置２５０が発する超音波にのせて送信する。
【０１８９】
その結果、レジ端末２００”の周囲にある対象アプリが起動されている携帯端末は、暗号化されたポイント情報を受信することになるが、共有鍵を保持している携帯端末５００Ａおよび携帯端末５００Ｂのみが、ポイント情報を復号できる。即ち、携帯端末５００Ａおよび携帯端末５００Ｂのみが、自端末が保持しているポイントを、復号したポイント情報が示すポイント数だけ増加させることができる。そのため、決済を行った結果として受けるべき特典を、当該決済を行ったグループに属する各メンバのみが受けることができる。
【０１９０】
＜実施形態６＞
実施形態１〜５のサーバ、レジ端末、及び、スマートフォンの制御ブロック（特に、チケット要求部３２１、共有ＵＲＬ取得処理部４２１、スタンプ付与要求処理部３２２、４２２）は、集積回路（ＩＣチップ）等に形成された論理回路（ハードウェア）によって実現してもよいし、ＣＰＵ（Central Processing Unit）を用いてソフトウェアによって実現してもよい。
【０１９１】
後者の場合、サーバ、レジ端末、及び、スマートフォンは、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１９２】
〔まとめ〕
本発明の態様１に係る特典付与システムは、ユーザ毎に該ユーザのユーザＩＤと該ユーザが店舗を利用した時を示す時刻情報と該ユーザに付与された特典（スタンプ）の量とを管理するサーバ（サーバ１００）と、レジ端末（レジ端末２００）と、を含み、上記サーバは、携帯端末（代表者の携帯端末３００Ａ）からユーザＩＤを受信した場合に、グループで上記店舗に訪れた顧客が特典の付与を受けるために必要な情報であって該グループで共有すべき情報である共有情報（チケット）を生成し、生成した共有情報を上記携帯端末に送信する第１送信手段（チケット生成部１２３）と、上記レジ端末から上記共有情報を受信した場合に、該ユーザＩＤが割り当てられたユーザ（代表者）が上記店舗を利用した時を示す時刻情報を更新する更新手段（チケット生成部１２３）と、を備え、上記レジ端末は、上記共有情報を近距離無線通信（非接触型通信）により上記携帯端末（携帯端末３００Ａ）から受信した場合に、該共有情報を上記サーバに送信する第２送信手段（時刻情報生成部２２２）と、上記更新手段が更新した後の上記時刻情報を近距離無線通信（超音波通信）によって送信する第３送信手段（情報送信処理部２２３）と、を備えている。
【０１９３】
ここで、上記特典付与システムをグループ単位で決済が行われる店舗が利用する場合を考える。また、この店舗は、上記特典付与システムを用い、決済を行ったグループに属する各メンバに対して特典を付与するものとする。
【０１９４】
上記の構成によれば、上記特典付与システムに含まれる上記サーバは、グループの代表者の携帯端末からユーザＩＤを受信した場合、当該携帯端末は、当該グループで店舗に訪れた顧客が特典の付与を受けるために必要な情報であって該グループで共有すべき情報である共有情報を取得する。従って、当該グループの代表者が、各同行者の携帯端末に当該共有情報を配布した場合、各同行者の携帯端末に当該共有情報が保存されることになる。
【０１９５】
また、上記の構成によれば、グループの代表者が、決済時に、自身の携帯端末に対し、レジ端末に向けて共有情報を送信させた場合、上記特典付与システムは、店舗を利用した時を示す時刻情報を更新し、更新後の時刻情報を近距離無線通信によってレジ端末の周囲に送信する。この時刻情報は、上記サーバが管理している情報であり、共有情報と同様に、特典の付与を受けるために必要な情報である。
【０１９６】
従って、グループの代表者が、決済時に、自身の携帯端末に対し、レジ端末に向けて共有情報を送信させた場合、当該グループに属する各メンバの携帯端末のみに特典の付与を受けるために必要な情報が揃うことになる。
【０１９７】
また、当該グループの各同行者は、特典を受けるために、自身の携帯端末に対し、レジ端末に向けて共有情報を送信させる必要はない。そのため、各同行者は、特典を効率的に受けることができる。
【０１９８】
したがって、上記特典付与システムは、グループ単位で決済が行われる店舗において決済を行った結果として受けるべき特典を、当該決済を行ったグループに属する各メンバのみが効率的に受けることを可能にする、という効果を奏する。
【０１９９】
本発明の態様２に係る特典付与システムは、上記態様１において、上記サーバが、時刻情報、ユーザＩＤ、及び、上記レジ端末から受信済の上記共有情報を携帯端末（携帯端末３００Ｂ）から受信した場合に、該時刻情報が示す時刻が、該共有情報の受信を契機に上記更新手段が更新した時刻情報が示す時刻からの一定期間に含まれているか否かを判定する判定手段と、上記判定手段により、上記サーバにより受信された時刻情報が示す時刻が、上記共有情報の受信を契機に上記更新手段が更新した時刻情報が示す時刻からの一定期間に含まれていると判定された場合に、該ユーザＩＤが割り当てられたユーザに特典を付与する特典付与手段（スタンプ付与処理部１２２）と、を更に備えていてもよい。
【０２００】
上記の構成によれば、上記特典付与システムは、携帯端末から受信した時刻情報が不正な時刻情報（例えば、共有情報を代表者から受け取ったが店舗に訪れなかった者によって不正に生成され、ユーザＩＤおよび共有情報とともにサーバに送信された時刻情報）である場合には、該ユーザＩＤが割り当てられたユーザに特典を付与しない。
【０２０１】
したがって、上記特典付与システムは、店舗に訪れなかった者が不正に特典を獲得することを防ぐことができる、という更なる効果を奏する。
【０２０２】
本発明の態様３に係る特典付与システムは、上記態様１において、上記サーバが、上記特典付与システムを利用する複数の店舗の各々について該店舗でユーザが使用可能な特典の量をユーザ毎に管理するようになっており、上記第３送信手段が、上記時刻情報と、該第３送信手段を備えるレジ端末が設置されている店舗に固有の店舗情報（店舗ＩＤ）とを近距離無線通信によって送信するようになっており、上記サーバは、時刻情報、ユーザＩＤ、レジ端末から受信済の上記共有情報、及び、該レジ端末が設置されている店舗に固有の店舗情報を携帯端末から受信した場合に、該時刻情報が示す時刻が、該共有情報の受信を契機に上記更新手段が更新した時刻情報が示す時刻からの一定期間に含まれているか否かを判定する判定手段と、上記判定手段により、上記サーバにより受信された時刻情報が示す時刻が、上記共有情報の受信を契機に上記更新手段が更新した時刻情報が示す時刻からの一定期間に含まれていると判定された場合に、該ユーザＩＤが割り当てられたユーザに該店舗で使用可能な特典を付与する特典付与手段と、を更に備えていてもよい。
【０２０３】
上記の構成によれば、複数の店舗の各々によって利用される上記特典付与システムは、あるグループがある店舗を利用して決済を行った場合に、その店舗で利用可能な特典を付与することができる、という更なる効果を奏する。
【０２０４】
本発明の態様４に係る特典付与システムは、上記態様１又は上記態様２において、上記特典付与手段は、上記サーバがレジ端末から受信済の上記共有情報を共有すべきグループによる該レジ端末での決済金額が大きいほど、より多い量の特典を当該グループに属するユーザに付与するようになっていてもよい。
【０２０５】
上記の構成によれば、上記特典付与システムは、上記グループのメンバを、より多くのお金を上記店舗にて利用する気にさせることができる、という更なる効果を奏する。
【０２０６】
本発明の態様５に係る特典付与方法は、サーバと、レジ端末と、を含む特典付与システムによる特典付与方法であって、上記サーバは、ユーザ毎に該ユーザのユーザＩＤとユーザが店舗を利用した時を示す時刻情報と該ユーザに付与された特典の量とを管理するようになっており、上記サーバが、携帯端末からユーザＩＤを受信した場合に、グループで上記店舗に訪れた顧客が特典の付与を受けるために必要な情報であって該グループで共有すべき情報である共有情報を生成し、生成した共有情報を上記携帯端末に送信する第１送信工程（ステップＳ３）と、上記レジ端末が、上記共有情報を近距離無線通信により上記携帯端末から受信した場合に、該共有情報を上記サーバに送信する第２送信工程（ステップＳ８）と、上記サーバが、上記レジ端末から上記共有情報を受信した場合に、該ユーザＩＤが割り当てられたユーザが上記店舗を利用した時を示す時刻情報を更新する更新工程（ステップＳ９）と、上記レジ端末が、上記更新工程にて更新された後の上記時刻情報を近距離無線通信によって送信する第３送信工程（ステップＳ１１）と、を含んでいる。
【０２０７】
上記の構成によれば、本発明の態様５に係る特典付与方法は、本発明の態様１に係る特典付与装置と同様の作用効果を奏する。
【０２０８】
本発明の態様６に係る携帯端末（携帯端末３００Ｂ）は、所有者（同行者）のユーザＩＤが保存されている携帯端末であって、上記所有者（同行者）と一緒に店舗に訪れた者（代表者）が所有する他の携帯端末（携帯端末３００Ａ）であってサーバから共有情報を取得した他の携帯端末が近距離無線通信（非接触型通信）によりレジ端末に該共有情報を送信した場合に上記サーバが更新する時刻情報であって、該他の携帯端末のユーザが該店舗を利用した時を示す時刻情報を、上記レジ端末から近距離無線通信（超音波通信）により受信する受信手段（制御部３２０）と、上記所有者に特典が付与されるように、上記所有者が上記他の携帯端末を所有する者から知らされた上記共有情報、上記受信手段が受信した上記時刻情報、及び、上記ユーザＩＤを、ユーザ毎に該ユーザのユーザＩＤと該ユーザが店舗を利用した時を示す時刻情報と該ユーザに付与された特典の量とを管理するサーバに送信する送信手段（スタンプ付与要求処理部３２２）と、を備え、上記共有情報及び上記時刻情報は、グループで店舗に訪れた顧客が特典の付与を受けるために必要な情報であり、上記共有情報は、上記グループで共有すべき情報である。
【０２０９】
上記の構成によれば、上記携帯端末は、当該携帯端末のユーザが本発明の態様１に係る特典付与システムから特典を受けることを可能にする、という効果を奏する。
【０２１０】
なお、本発明の態様６に係る携帯端末は、コンピュータによって実現してもよく、この場合には、コンピュータを上記携帯端末が備える手段として動作させることにより当該手段をコンピュータにて実現させるプログラム、およびそれを記録したコンピュータ読み取り可能な記録媒体も、本発明の範疇に入る。
【０２１１】
本発明の態様８に係るレジ端末（レジ端末２００）は、携帯端末（携帯端末３００Ａ）から近距離無線通信（非接触型通信）により共有情報を受信する受信手段（時刻情報生成部２２２）と、上記受信手段が上記共有情報を受信した場合に、上記共有情報をサーバに送信する共有情報送信手段（時刻情報生成部２２２）と、上記携帯端末のユーザが店舗を利用した時を示す時刻情報であって上記共有情報を受信したサーバにより更新された時刻情報を、近距離無線通信（超音波通信）により送信する時刻情報送信手段（情報送信処理部２２３）と、を備え、上記共有情報及び上記時刻情報は、グループで店舗に訪れた顧客が特典の付与を受けるために必要な情報であり、上記共有情報は、上記グループで共有すべき情報である。
【０２１２】
上記の構成によれば、上記レジ端末は、本発明の態様１に係る特典付与システムに含まれるレジ端末として利用できる、という効果を奏する。
【０２１３】
本発明の態様９に係る特典付与システムは、ユーザ毎に該ユーザのユーザＩＤと該ユーザに付与された特典の量とを管理するサーバ（サーバ１００’）と、レジ端末（レジ端末２００’）と、を含む特典付与システムであって、上記サーバは、携帯端末（携帯端末４００Ａ）からユーザＩＤを受信した場合に、グループで店舗に訪れた顧客が特典の付与を受けるために必要な情報であって該グループで共有すべき情報である共有情報（共有ＵＲＬ）を生成し、生成した共有情報を上記携帯端末（携帯端末４００Ａ）に送信する第１送信手段（ＵＲＬ生成部１２３’）と、上記レジ端末から上記ユーザＩＤを受信した場合に、上記グループが上記特典の付与を受けるために携帯端末がアクセスすべきアドレス（スタンプ獲得用ＵＲＬ）を示すアドレス情報を上記レジ端末に送信する第３送信手段（ＵＲＬ生成部１２３’）と、上記共有情報を参照した携帯端末であって上記アドレスにアクセスした携帯端末（携帯端末４００Ｂ）から、該携帯端末のユーザに割り当てられたユーザＩＤと上記共有情報を参照した旨を示す情報とを受信した場合に、該ユーザに特典を付与する特典付与手段（スタンプ付与処理部１２２’）と、を備え、上記レジ端末は、上記ユーザＩＤを近距離無線通信（非接触型通信）により上記携帯端末（携帯端末４００Ａ）から受信した場合に、該ユーザＩＤを上記サーバに送信する第２送信手段（スタンプ獲得用ＵＲＬ取得処理部２２２’）と、上記アドレス情報を上記サーバから受信した場合に、上記アドレス情報を近距離無線通信（超音波通信）によって送信する第４送信手段（スタンプ獲得用ＵＲＬ送信処理部２２３’）とを備えている。
【０２１４】
上記の構成によれば、本発明の態様９に係る特典付与システムは、本発明の態様１に係る特典付与システムと同様の作用効果を奏する。
【０２１５】
本発明の態様１０に係る特典付与システムは、上記サーバは、上記特典付与システムを利用する複数の店舗の各々について該店舗でユーザが使用可能な特典の量をユーザ毎に管理するようになっており、上記第４送信手段は、上記アドレス情報と、該第４送信手段を備えるレジ端末が設置されている店舗に固有の店舗情報（店舗ＩＤ）とを近距離無線通信によって送信するようになっており、上記特典付与手段は、上記アドレス情報が表すアドレスにアクセスした携帯端末から、該携帯端末のユーザに割り当てられたユーザＩＤと該店舗に固有の店舗情報と上記共有情報を参照した旨を示す情報とを受信した場合に、該店舗で使用可能な特典を該ユーザに付与するようになっていてもよい。
【０２１６】
上記の構成によれば、上記特典付与システムは、本発明の態様３に係る特典付与システムと同様の作用効果を奏する。
【０２１７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２１８】
グループ単位で決済が行われ、決済が行われた結果として顧客に特典を付与する店舗に関し、本発明に係る特典付与システムは、そのような店舗での利用に好適である。
【符号の説明】
【０２１９】
１００、１００’      サーバ
１２１                    照合部（判定手段）
１２１’                  スタンプ付与可否判定部（判定手段）
１２２、１２２’          スタンプ付与処理部（特典付与手段）
１２３                    チケット生成手段（第１送信手段、更新手段）
１２３’                    ＵＲＬ生成部（第１送信手段、第３送信手段）
２００                レジ端末
２２２                    時刻情報生成部（受信手段、第２送信手段、
共有情報送信手段）
２２２’                  スタンプ獲得用ＵＲＬ取得処理部（第２送信手段）
２２３                        情報送信処理部（第３送信手段、時刻情報送信手段）
２２３’                      スタンプ獲得用ＵＲＬ送信処理部（第４送信手段）
３００                携帯端末
３２０                  制御部（受信手段）
３２２                    スタンプ付与要求処理部（送信手段）
【図１】
2015148891.tif 000003
【図２】
2015148891.tif 000004
【図３】
2015148891.tif 000005
【図４】
2015148891.tif 000006
【図５】
2015148891.tif 000007
【図６】
2015148891.tif 000008
【図７】
2015148891.tif 000009
【図８】
2015148891.tif 000010
【図９】
2015148891.tif 000011
【図１０】
2015148891.tif 000012
【図１１】
2015148891.tif 000013
【図１２】
2015148891.tif 000014
【図１３】
2015148891.tif 000015
【図１４】
2015148891.tif 000016
【図１５】
2015148891.tif 000017
【図１６】
2015148891.tif 000018
【図１７】
2015148891.tif 000019